(57)【要約】ある開催地におけるイベントに対する、及びある開催地において将来実行を予定される可能性があるかないかわからないイベントに対するシートライセンス、チケット、及び臨時のイベントチケット証明書の取引のための電子交換システム、及び方法が提供される。シートライセンス、及びシーズンチケットは、許可された人または所有者に、チケット、及び臨時のイベントチケット証明書を購入する権利と義務を与える。臨時のイベントチケット証明書は、臨時のイベントの現実の日程計画と関連づけられた時刻におけるイベントチケットに切り替わると共に、臨時のイベントチケット証明書が切り替わる時、臨時のイベントチケット証明書の所有者はチケットの額面価格を請求される。交換システム、及び方法は、多くの買い手と売り手との間のシートライセンス、チケット、及び臨時のイベントチケット証明書における取引を提供する。
2005531067.tif 000002
【特許請求の範囲】
【請求項１】
イベントチケットを取引するための交換システムであって、
イベントチケットを販売するための申し出をリストアップするための手段と、
イベントチケットを購入するための入札をリストアップするための手段と、
前記入札及び申し出の内の少なくとも１つの承諾の指示を受信するための手段と、
前記入札及び申し出の内の少なくとも１つの前記承諾の指示を、承諾された入札または申し出と組み合わせるためのマッチングエンジンと
を有し、
少なくとも１枚のイベントチケットは、承諾された入札または申し出に従って取引される
ことを特徴とする交換システム。
【請求項２】
前記イベントチケットを販売するための申し出をリストアップするための手段、及び前記イベントチケットを購入するための入札をリストアップするための手段が、シートライセンスを販売するための申し出をリストアップするための手段、及びシートライセンスを購入するための入札をリストアップするための手段を更に提供する
ことを特徴とする請求項１に記載の交換システム。
【請求項３】
前記イベントチケットを販売するための申し出をリストアップするための手段、及び前記イベントチケットを購入するための入札をリストアップするための手段が、臨時のイベントチケット証明書を販売するための申し出をリストアップするための手段、及び臨時のイベントチケット証明書を購入するための入札をリストアップするための手段を更に提供する
ことを特徴とする請求項１に記載の交換システム。
【請求項４】
前記イベントチケットを販売するための申し出をリストアップするための手段、及び前記イベントチケットを購入するための入札をリストアップするための手段が、シートライセンスと臨時のイベントチケット証明書とを販売するための申し出をリストアップするための手段、及びシートライセンスと臨時のイベントチケット証明書とを購入するための入札をリストアップするための手段を更に提供する
ことを特徴とする請求項１に記載の交換システム。
【請求項５】
前記交換システム上で発生する処理を追跡すると共に記録するための手段を更に有する
ことを特徴とする請求項４に記載の交換システム。
【請求項６】
処理を追跡すると共に記録するための手段が、前記交換システム上で取引されるシートライセンス、チケット、及び臨時のチケットの買い手と売り手とに関するデータを記録するための手段を有する
ことを特徴とする請求項５に記載の交換システム。
【請求項７】
交換システム上で購入されたシートライセンス、チケット、及び臨時のチケットに対する保険を購入するための手段を更に有する
ことを特徴とする請求項１に記載の交換システム。
【請求項８】
前記イベントにおける指定された出来事の発生または未発生に基づいて、ボーナス賞金証明書の所有者が賞金を獲得することができるボーナス賞金証明書を販売するための手段を更に有する
ことを特徴とする請求項１に記載の交換システム。
【請求項９】
イベントチケットを取引するためのネットワークを基盤とした交換システムであって、
ネットワーク上の複数の買い手及び売り手によってアクセス可能なウェブサーバと、
前記買い手及び売り手と、前記チケットと、前記チケットの所有権と、前記チケットを購入するための入札及び前記チケットを販売するための申し出の記録を保持するためのデータベースと、
イベントチケットを販売するための申し出及びイベントチケットを購入するための入札を承諾する前記命令を、対応するイベントチケットを販売するための申し出及びイベントチケットを購入するための入札と組み合わせると共に、イベントチケットを販売するための申し出及びイベントチケットを購入するための入札を提示する第１の買い手または売り手と、イベントチケットを販売するための申し出及びイベントチケットを購入するための入札を承諾する命令を発する第２の買い手または売り手との間でイベントチケットを交換するための処理を実行するためのマッチングエンジンと、
を有し、
前記ウェブサーバが、前記買い手及び売り手に対して、対応する買い手用端末及び売り手用端末上に表示されるべき交換システムのインタフェースを提供するように適合させられ、
前記インタフェースが、買い手及び売り手からの入力命令を、チケットを販売するための申し出と、チケットを購入するための入札と、チケットを販売するための選択された申し出及びチケットを購入するための選択された入札を承諾する命令とを提示するためのウェブサーバに送信するように構成される
ことを特徴とするネットワークを基盤とした交換システム。
【請求項１０】
マッチングエンジンが、前記処理に基づく前記チケットの所有権の変更を反映するために、データベースを更新するように適合させられる
ことを特徴とする請求項９に記載の交換システム。
【請求項１１】
前記ウェブサーバが、買い手によって設定されると共に売り手によって承諾されたチケットを購入するための入札に対応するか、または売り手によって設定されると共に買い手によって承諾されたチケットを販売するための申し出に対応する金額を、チケットの買い手のクレジットカード口座に課金するために、クレジットカード決済を実行するように更に適合させられる
ことを特徴とする請求項９に記載の交換システム。
【請求項１２】
前記ウェブサーバが、売り手によって設定されると共に買い手によって承諾されたチケットを販売するための申し出に対応する金額、または買い手によって設定されると共に売り手によって承諾されたチケットを購入するための入札に対応する金額を、チケットの売り手のクレジットカード口座に入金するために、クレジットカード決済を実行するように更に適合させられる
ことを特徴とする請求項９に記載の交換システム。
【請求項１３】
前記ウェブサーバが、シートライセンスを購入するための入札と、シートライセンスを販売するための申し出と、前記シートライセンスを購入するための入札及びシートライセンスを販売するための申し出を承諾する命令とを受信するように更に適合させられ、
前記データベースが、前記シートライセンスと、前記シートライセンスの所有権と、前記シートライセンスを購入するための前記入札及び前記シートライセンスを販売するための前記申し出の記録を保持するように構成され、
前記マッチングエンジンが、イベントチケットを販売するための申し出及びイベントチケットを購入するための入札を承諾する前記命令を、対応するイベントチケットを販売するための申し出及びイベントチケットを購入するための入札と組み合わせるように構成される
ことを特徴とする請求項９に記載の交換システム。
【請求項１４】
前記ウェブサーバが、臨時のイベントチケット証明書を購入するための入札と、臨時のイベントチケット証明書を販売するための申し出と、前記臨時のイベントチケット証明書を購入するための入札及び臨時のイベントチケット証明書を販売するための申し出を承諾する命令とを受信するように更に適合させられ、
前記データベースが、前記臨時のイベントチケット証明書と、前記臨時のイベントチケット証明書の所有権と、前記臨時のイベントチケット証明書を購入するための前記入札及び前記臨時のイベントチケット証明書を販売するための前記申し出の記録を保持するように構成され、
前記マッチングエンジンが、臨時のイベントチケット証明書を販売するための申し出及び臨時のイベントチケット証明書を購入するための入札を承諾する前記命令を、対応する臨時のイベントチケット証明書を販売するための申し出及び臨時のイベントチケット証明書を購入するための入札と組み合わせるように構成される
ことを特徴とする請求項９に記載の交換システム。
【請求項１５】
前記インタフェースが、前記買い手用端末及び売り手用端末上に買い手によって提示されたイベントチケットを購入するための最高入札を表示するように適合させられる
ことを特徴とする請求項９に記載の交換システム。
【請求項１６】
前記インタフェースが、前記買い手用端末及び売り手用端末上に売り手によって提示されたイベントチケットを販売するための最高の申し出を表示するように適合させられる
ことを特徴とする請求項９に記載の交換システム。
【請求項１７】
前記インタフェースが、前記買い手用端末及び売り手用端末上に買い手によって提示されたイベントチケットを購入するための最高入札を表示するように適合させられる
ことを特徴とする請求項１２に記載の交換システム。
【請求項１８】
前記インタフェースが、前記買い手用端末及び売り手用端末上に売り手によって提示されたイベントチケットを販売するための最高の申し出を表示するように適合させられる
ことを特徴とする請求項１２に記載の交換システム。
【請求項１９】
前記インタフェースが、前記買い手用端末及び売り手用端末上に買い手によって提示されたイベントチケットを購入するための最高入札を表示するように適合させられる
ことを特徴とする請求項１３に記載の交換システム。
【請求項２０】
前記インタフェースが、前記買い手用端末及び売り手用端末上に売り手によって提示されたイベントチケットを販売するための最高の申し出を表示するように適合させられる
ことを特徴とする請求項１３に記載の交換システム。
【請求項２１】
開催地における指定されたシートと関連付けられた各シートライセンス、及び前記シートライセンスに関連付けられた、前記開催地において実行されることが予定される所定のイベントに関するイベントチケットを取引するための方法であって、
前記ライセンス及びイベントチケットを販売するための、提示価格を有する申し出を受信するステップと、
前記ライセンス及びイベントチケットを購入するための、入札価格を有する申し出を受信するステップと、
前記販売するための申し出及び購入するための入札の承諾の指示を受信するステップと、
特定の販売するための申し出を承諾する指示を対応する販売するための申し出と組み合わせると共に、特定の購入するための入札を承諾する指示を対応する購入するための入札と組み合わせるステップと、
前記販売するための申し出及び購入するための入札を複数の潜在的な買い手及び売り手に伝達するステップと、
前記承諾された販売するための申し出及び購入するための入札に従って、売り手と買い手との間でライセンス及びイベントチケットを交換するステップと
を有することを特徴とする取引のための方法。
【請求項２２】
対応する承諾された販売するための申し出または購入するための入札に対応する金額を前記買い手に課金すると共に、対応する承諾された販売するための申し出または購入するための入札に対応する金額を前記売り手に入金するステップを更に有する
ことを特徴とする請求項２１に記載の取引の方法。
【請求項２３】
シートライセンス及びイベントチケットの取引が臨時のイベントチケット証明書の取引を更に有すると共に、
前記方法が、
臨時のイベントチケット証明書がイベントチケットに変わる場合に、その変換日を設定するステップと、
前記変換日以後の臨時のイベントチケット証明書の保有者を決定するステップと、
前記臨時のイベントチケット証明書の保有者に、前記変換日における臨時のイベントチケットの額面価格に等しい金額を課金するステップと、
前記臨時のイベントチケット証明書をイベントチケットに変換するステップと
を更に有することを特徴とする請求項２２に記載の取引の方法。
【請求項２４】
使用権取得者に前記シートライセンスを与えるステップを有し、
前記シートライセンスが、前記開催地において周期的に開催されることが予定された複数の所定のイベントにおける指定されたシートに対するチケットを購入する権利を、各使用権取得者に与える
ことを特徴とする請求項２１に記載の方法。
【請求項２５】
前記シートライセンスが、前記開催地において周期的に開催されることが予定された前記複数のイベントにおける前記指定されたシートに対する前記チケットを購入する義務を与える
ことを特徴とする請求項２４に記載の方法。
【請求項２６】
前記シートライセンスが、前記開催地において開催される可能性があるかないかわからない将来のイベントの内の少なくとも１つに対する臨時のチケットを購入する権利を、もし前記将来のイベントが実際に予定された場合には各使用権取得者に更に与える
ことを特徴とする請求項２１に記載の方法。
【請求項２７】
前記シートライセンスが、もし前記将来のイベントが予定された場合には前記臨時のチケットを購入する義務を与える
ことを特徴とする請求項２６に記載の方法。
【請求項２８】
前記シートライセンスが、前記開催地において開催される可能性があるかないかわからない将来のイベントの内の少なくとも１つに対する臨時のチケットを購入するための第一先買権の権利を、もし前記将来のイベントが実際に予定された場合には各使用権取得者に更に与える
ことを特徴とする請求項２４に記載の方法。
【請求項２９】
処理を追跡すると共に記録するステップを更に有する
ことを特徴とする請求項２１に記載の方法。
【請求項３０】
処理を追跡すると共に記録するステップが、前記交換システム上で取引されるシートライセンス、チケット、及び臨時のチケットの買い手と売り手とに関するデータを記録するステップを更に有する
ことを特徴とする請求項２９に記載の方法。
【請求項３１】
イベントが予定変更または中止された場合に、イベントチケットに対して支払われた金額を提示するために、イベントチケットの買い手に保険を提供するステップを更に有する
ことを特徴とする請求項２１に記載の方法。
【請求項３２】
イベントにおける指定された出来事の発生または未発生に基づいて、ボーナス賞金証明書の所有者が賞金を獲得することができるボーナス賞金証明書を販売するための提示を行うステップを更に有する
ことを特徴とする請求項２１に記載の方法。
【請求項３３】
シートライセンスに関連付けられた権利及び義務の取引のための方法であって、
各イベントチケットが、開催地において実行されることが予定された複数のイベントの中の１つに対応すると共に、前記開催地の中の指定されたシートに対応する複数のイベントチケットを有するシーズンチケットパッケージを設定するステップと、
シーズンチケットを購入する権利を使用権取得者に与えるシートライセンスを設定するステップと、
使用権取得者にシートライセンスを発行するステップと、
前記シートライセンス、前記シーズンチケットパッケージ、またはイベントチケットを販売するための申し出を受信するステップと、
前記シートライセンス、前記シーズンチケットパッケージ、及び前記イベントチケットの内の少なくとも１つを購入するための申し出を受信するステップと、
前記シートライセンス、シーズンチケットパッケージ、またはイベントチケットを販売するための申し出の承諾、あるいは前記シートライセンス、シーズンチケットパッケージ、またはイベントチケットを購入するための入札の承諾を受信するステップと、
前記承諾された販売するための申し出または購入するための入札に対応する売り手と買い手との間で、前記シートライセンス、シーズンチケットパッケージ、及びイベントチケットの内の少なくとも１つを交換するステップと
を有することを特徴とする取引のための方法。
【請求項３４】
前記シートライセンスが、前記シーズンチケットパッケージを購入する義務を与える
ことを特徴とする請求項３３に記載の方法。
【請求項３５】
前記シートライセンスが、前記開催地において開催される可能性があるかないかわからない将来のイベントの内の少なくとも１つに対する臨時のイベントチケット証明書を購入する権利を、各使用権取得者に更に与える
ことを特徴とする請求項３３に記載の方法。
【請求項３６】
前記シートライセンスが、もし前記将来のイベントが予定された場合には前記臨時のイベントチケット証明書を購入する義務を与える
ことを特徴とする請求項３５に記載の方法。
【請求項３７】
前記シートライセンスが、前記開催地において開催される可能性があるかないかわからない将来のイベントの内の少なくとも１つに対する臨時のイベントチケット証明書を購入するための第一先買権の権利を、使用権取得者に更に与える
ことを特徴とする請求項３３に記載の方法。
【請求項３８】
買い手と売り手との間の処理を追跡すると共に記録するステップを更に有する
ことを特徴とする請求項３３に記載の方法。
【請求項３９】
処理を追跡すると共に記録するステップが、買い手と売り手とに関するデータを記録するステップを更に有する
ことを特徴とする請求項３８に記載の方法。
【請求項４０】
買い手と売り手とが前記シートライセンス、シーズンチケット、及びイベントチケットに対する保険を購入する権利を与えるステップを更に有する
ことを特徴とする請求項３３に記載の方法。
【請求項４１】
イベントにおける指定された出来事の発生または未発生に基づいて、ボーナス賞金証明書の所有者が賞金を獲得することができるボーナス賞金証明書を販売するための提示を行うステップを更に有する
ことを特徴とする請求項２１に記載の方法。
【請求項４２】
臨時のイベントチケット証明書をオークションするステップを更に有する
ことを特徴とする請求項３３に記載の方法。
【請求項４３】
将来予定される可能性があるかないかわからない臨時のイベントに対するイベントチケットの配信方法であって、
イベントに対する臨時のイベントチケット証明書を発行するステップと、
もしイベントが実際に予定された場合、臨時のイベントチケット証明書をイベントに対するチケットに変換するステップと、
臨時のイベントの日程計画と関連付けられるのと同時に、臨時のイベントチケット証明書の保有者に所定の金額を課金するステップと
を有することを特徴とするイベントチケットの配信方法。
【発明の詳細な説明】
【技術分野】
【０００１】
本発明は、永久的なシートライセンス(permanent seat licenses)、イベントチケット、及び臨時のイベントチケット証明書の取引のための電子交換システム、及び方法に関するものである。
【背景技術】
【０００２】
本発明の交換システム、及び方法は、あらゆる数のイベント、あるいはスポーツ競技場または劇場のような開催地で行われているイベントのシリーズに適用される可能性がある。一般的に、スポーツ競技、コンサート、演劇等のチケットが、イベントに先立って、所定の額面価格で世間に販売される。多くの場合、しかしながらチケットの額面価格は、チケットの真の価格を正確に反映するわけではない。すなわち、チケットの額面価格は、人々がイベントに参加するために支払う気がある実際価格を反映していない。スーパーボウル、ワールドシリーズ、または、他の決勝戦、及びプレーオフゲーム、またはポピュラーな芸能人によるコンサートのような需要の多いイベントに対して、ファンは、多くの場合、イベントに参加するために何度もチケットの額面価格を浪費することをいとわない。
【０００３】
この過剰な需要は、主要なイベントチケットのための大きな流通市場を作り出した。多くの場合、チケットの“ダフ屋（scalpers）”、ブローカー、及び他の投機家は、額面価格で大量のチケットの束を購入すると共に、流通市場の形成が可能となれば、どんな価格ででもチケットを再販することになる。多くの場合は、かなりの利益で再販する。もしチケット再販価格が高くなって、イベントに参加するメリットを上回れば、不当につり上げられたチケット価格から利益を得るつもりのないファンでさえも時折もうかることになる。しかしながら、この流通市場に定期的に参加しない個人は、彼らが購入しようとしている、もしくは販売しようとしているチケットの市場価格を決定するのに困ることに留意するべきである。多くの場合、イベントチケットに対する現行レートを決定するために、何人かのブローカー、ダフ屋、または他の個人との接触を多く持つことになる。場合によっては、彼らのチケットを販売したいと思っているチケット所有者は、イベント開催地そのものに、チケットの獲得を期待して同様に開催地に来た他のものと関係を持つことを期待して、実際に移動しなければならない。市場を作り上げるこの方法は、時間がかかり、非効率的である。
【０００４】
組織的に開発されたそのような認可されていない流通市場の非効率性に加えて、まさしくそのような市場の存在は、イベントを制作することに関して責任を負う当事者、すなわちチームオーナー、連盟、主催者、興業主等（集合的に、イベント興業主、または複数のイベント興行主）に対する収入を失わせる。ファンが“120.00”ドルの額面価格を有するチケットに対して、ダフ屋に“500.00”ドルを支払うとき、そのファンは、興行主の製品に対して追加の“380”ドルを支払う。興行主がこの追加の価格を見ることはない。どう見ても、チケットの額面価格を更に適切に設定するか、あるいは何らかの方法で流通市場に関与するかのいずれかにより、少なくとも需要の多いイベントに対するチケットの追加の価格の一部を利益として得ることに興行主は興味がある。
【０００５】
個別のイベントチケットに加えて、イベントの興行主は、多くの場合、関連するイベントのシリーズに対するパッケージの形でチケットを販売することになる。例えば、スポーツチームのオーナーは、シーズンチケットのパッケージを販売する。交響楽団及び歌劇団は、それらのシーズンの公演に対する入場回数券のシリーズを後援者に提供する。そのようなチケットのパッケージは、いくらかまたは全てのイベントに対する個別のイベントチケットを有すると共に、チームまたは公演団体は、野球場、劇場、コンサートホール等と呼ぶそれらのホームの開催地で実演することになる。一般的に、そのようなパッケージと関連付けられた個別のチケットは、各イベントに対する開催地の中の同じシート（座席）に対するものとなる。シーズンチケットの保有者に関して時折起こる問題は、チケット所有者が個別のイベントの全てに参加することができないということである。そのような場合、チケットの保有者は、チケットの保有者に対しては価値を持たないが、しかし別のファンによって非常に欲しがられる可能性があるチケットを保持している状態のままとなる。チケットを使用することができないシーズンチケットの保有者は、明らかにイベントに参加し得るだれかに使用できないチケットを販売することを希望する。チケットの保有者は、イベントに参加することを望むファンにチケットを販売することを希望するばかりでなく、チケットの保有者が可能な限りの最高価格を受け取るために、イベントに参加することを最も望んでいるファンへチケットを販売することを希望する。しかしながら、シーズンチケットの保有者とその最も望んでいるファンとの間の関係を作り上げることは、簡単な問題ではない。いくらかのチケットが使用されない場合に、シーズンチケットの保有者は、少なくともパッケージの費用の一部を取り戻すために、使用できないチケットを容易に販売し得るということを、そのようなパッケージの買い手が知っているので、チケットの買い手、及びチケットの売り手がお互いを容易に発見し得るアクセス可能な市場を作ることは、シーズンチケット、またはシリーズチケットのパッケージの価値をおそらく増加させる。
【発明の開示】
【発明が解決しようとする課題】
【０００６】
チケットの有用性、及び流通市場におけるチケットの価格に強い影響を与える別の最近の発展は、永久的なシートライセンス、または“PSL”の出現である。“PSL”は、一般的にシーズンチケットの概念の拡張である。それらは現存する開催地のためにも同様に販売され得るけれど、ほとんどの場合、それらは新しいスポーツ競技場のような新しい開催地の建設のために金を調達する募金運動と連動して販売される。一般的な“PSL”は、開催地における特定のシートに対するシーズンチケットを購入する権利を、毎シーズン使用権取得者に与える。“PSL”は、例えば１０シーズンのような限られたシーズン数に渡っている可能性があるか、または“PSL”は、永久に継続する可能性がある。場合によっては、その使用権取得者は、ライセンスの条件に応じて、シーズンチケットを毎シーズン購入することを義務付けられている。
【０００７】
“PSL”が、シーズンチケットを毎シーズン購入することを、使用権取得者に許可すると共に、場合によっては義務付けるので、上述のシーズンチケットのパッケージの中で使用できないチケットに関係する同じ問題が“PSL”にも当てはまる。従って、イベントチケットの取引のためのアクセス可能な市場は、従来のシーズンチケット保有者に利益を与えるのと同じ方法で、“PSL”使用権取得者に利益を与え、それによって“PSL”の価値を増加させる。“PSL”のマルチシーズン（multi-season）の特質のために、それらの魅力は幾分制限される可能性がある。例えば、使用権取得者に１０年の間、毎年シーズンチケットを購入することを義務付ける“PSL”は、おそらく１０年未満で別の市場に動くことを要求されることになるファンには魅力がない可能性がある。しかしながら、もしそのようなファンが、彼または彼女がエリアを離れるときにそのような“PSL”の期限内のものを販売することを許される場合、期限内のものを販売することによって、彼または彼女が“PSL”の少なくとも費用の一部を取り戻すことができる可能性があるということを知って、ファンは、まず第一に“PSL”を買う可能性が高いかも知れない。従って、“PSL”の取引を可能にする市場は、“PSL”の価値をおそらく同様に増加させる。
【０００８】
イベント興業主によって得られた利益に影響を及ぼすチケットの流通市場の最後の特徴は、将来予定される可能性がある（または、その可能性がない）イベントのチケットに対する需要である。これの最も一般的な例は、スポーツ競技のプレーオフ及び決勝戦に関する市場である。シーズンの初めにおいて、シーズンのプレーオフで終わる、または決勝戦を行って終わることに対する地元のチームの見込みは、あまり前途有望ではない可能性がある。従って、そのようなゲームは常に発生することがありそうもないので、シーズンの初めにおけるプレーオフまたは決勝戦のチケットに対する需要は少ないことになる。しかしながら、もしそのチームがシーズンの経過中に大変良い成績を上げている場合、そのようなプレーオフゲーム、または決勝戦に地元のチームが参加するチャンスは、着実に増加する可能性がある。従って、プレーオフまたは決勝戦のチケットに対する潜在的な需要は、同様に増加することになる。
【０００９】
様々なイベント興行主は、異なる方法でそのような臨時のイベントに対するチケットの配信を扱う。例えば、もし臨時のイベントが現実になる場合、及び臨時のイベントが現実になるとき、いくらかのイベント興行主は、臨時のイベントチケットを購入するのに“PSL”及びシーズンチケットの保有者を必要とすることになる。他のイベント興行主は、臨時のイベントが予定されるとき、そのようなチケットを購入するための第一先買権の権利を“PSL”及びシーズンチケットの保有者に与える可能性がある。最終的に、他のイベント興行主は、“PSL”及びシーズンチケットの販売とは無関係に、新たに予定される臨時のイベントに対するチケットを販売することになる。臨時のイベントチケットが世間に提供される仕組みに関係なく、イベント興行主は、何らかの方法でチケットの流通市場に参加して利益を得ることができる。更に、臨時のイベントチケットの販売をシーズンチケットパッケージ及び“PSL”に関連付けるそれらのイベント興行主に対して、臨時のイベントチケットを再販するための市場を提供することは、シーズンチケットパッケージ及び“PSL”の価値を増加させるのに役立つことになる。
【課題を解決するための手段】
【００１０】
本発明は、永久的なシートライセンス、イベントチケット、及び臨時のイベントチケット証明書の取引の方法に加えて、更に永久的なシートライセンス、イベントチケット、及び臨時のイベントチケット証明書の取引のための交換システムに関するものである。本発明の一実施例において、交換システム上で取引される在庫品は、“PSL”に関連付けられる可能性があるかないかわからない臨時のイベントチケット証明書に加えて、更に“PSL”に関連付けられた“PSL”及びイベントチケットに限定される。交換システムは、“PSL”、イベントチケット、または臨時のイベントチケットの形で在庫品を保有する個人が、彼らの保有物のいくらか、または全てを指定された価格で販売するための申し出を公表することができる仕組みを提供する。同様に交換システムは、“PSL”、イベントチケット、または臨時のイベントチケットを購入することを望む個人が、指定された価格における特定のアイテムを購入するための入札を公表することができる仕組みも提供する。そのような入札及び申し出は、売りに出されているか、または入札している特定の在庫品に興味を示した交換システムの会員が、そのような在庫品の市場価格を決定することができるように、交換システムの全ての会員に対して利用可能とされる。
【００１１】
売りに出された在庫品を購入する気がある交換システムのそれらの会員は、指定された価格で申し出を承諾することができるし、または、売り出し価格以下で入札することができる。同様に、提示された入札に対応する在庫品を保有するそれらの個人は、入札を省くと共に、入札価格で在庫品を販売することができる。もう一つの方法として、在庫品の所有者は、現在の入札価格以下の価格で販売するための申し出を提示することができる。交換システムは、申し出及び入札を、申し出及び入札を承諾する指示と組み合わせ、在庫品を買い手と売り手との間で転送すると共に、承諾された申し出または入札に対応する金額を買い手に課金し、かつ承諾された申し出または入札に対応する金額を売り手に入金する。このように、買い手及び売り手は、直接相互に取引を行うのではなく、交換システムとだけ取引を行う必要がある。
【００１２】
本発明の実施例は、“PSL”、イベントチケット、及び臨時のイベントチケット証明書の取引のための電子交換システムを提供した。電子交換システムは、ネットワーク上の無制限の数の買い手及び売り手によってアクセス可能なウェブサーバを有し、ウェブサーバは前記買い手及び売り手に対して、買い手用端末及び売り手用端末のネットワークブラウザ（network browsers）に表示されるべき交換システムのインタフェースを、ネットワーク上の買い手用端末及び売り手用端末に提供するように適合させられる。インタフェースは、買い手及び売り手から入力された利用者命令を、在庫品を販売するための申し出及び在庫品を購入するための入札の承諾の指示に加えて、更に在庫品を販売するための申し出と、在庫品を購入するための入札とを提示するための交換システムに送信するように構成される。データベースは、交換システム上で取引される全ての在庫品の記録に加えて、更に交換システムの全ての会員の記録を保持する。ウェブサーバと同じプラットホームで動作する可能性があるかないかわからないマッチングエンジンは、在庫品を販売するための申し出及び在庫品を購入するための入札の承諾を、それらの申し出及び入札と組み合わせる。その場合に、マッチングエンジンは、対象の在庫品の所有権が売り手から買い手に譲渡される処理を起動する。これは、データベースに記憶される在庫品の記録を変更することによって達成される。マッチングエンジンは、更に承諾された入札または申し出に対応する金額を買い手が課金されると共に、同様の金額を売り手が入金される処理を起動する。
【００１３】
本発明の永久のシートライセンス、イベントチケット、及び臨時のイベントチケット証明書の取引の方法は、そのような在庫品を購入するための入札に加えて、更にそのような在庫品を販売するための申し出を受信するステップを有する。一度、そのような申し出及び入札が受信されれば、それらは、受信された様々な入札及び申し出において指定された在庫品の潜在的な買い手または売り手である交換システムの会員に伝達される。本発明の方法における次のステップは、入札及び申し出が交換システムの他の会員によって承諾されたという、対応する指示を受信することを伴う。入札及び申し出の承諾に対応する指示は、それぞれの入札及び申し出と組み合わせられる。その場合に、対象の在庫品の所有権が売り手から買い手に譲渡され、買い手が入札に関係する金額または提示された金額を課金されると共に、売り手が同様の金額を入金される処理が起動される。
【００１４】
本発明の追加機能、及び利点は、本発明の詳細な説明及び図面に説明されると共に、それらから明白にされることになる。
【発明を実施するための最良の形態】
【００１５】
本発明は、スポーツ競技、コンサート等のような、実行することが予定される、または将来指定された開催地において実行することが予定される可能性がある、様々なイベントに対する永久的なシートライセンス(permanent seat licenses：PSLs)、個別のイベントチケット、及び臨時のイベントチケット証明書の取引に対する市場に関するものである。本発明は、そのような取引を容易にするための、そのような製品の取引の方法及び電子交換システムの両方を提供する。
【００１６】
まず図１を参照すると、“PSL”、イベントチケット、及び臨時のイベントチケット証明書の取引に関する方法が開示される。ステップＳ１は、“PSL”、個別のイベントチケット、及び臨時のイベントチケット証明書の在庫品目録を作成すると共に配信することを指示する。臨時のイベントチケットは、本発明に従って作成された新しい種類の製品である。臨時のイベントチケット証明書は、将来予定される可能性がある（または、その可能性がない）イベントに対するイベントチケットを額面価格で購入する権利、及び義務に相当する。本発明の実施例によれば、臨時のイベントが予定されると共に、イベントに対するチケットが発売になるとき、臨時のイベントチケット証明書の記録の保有者であるだれもが、自動的にチケットの額面価格を請求される。もし、臨時のイベントチケット証明書の保有者がクレジットカードによって支払うことに同意した場合、指定されたクレジットカード口座は自動的に課金される。“PSL”イベントチケット、及び臨時のイベントチケット証明書の電子取引を容易にするために、在庫している全てのチケット及び臨時のイベントチケット証明書、各チケットまたは臨時のイベントチケット証明書の現在の所有者、及びチケットまたは臨時のイベントチケットの創造から続いている以前の所有者の監査証跡のデータベースが保持される得るように、チケット及び臨時のイベントチケット証明書の最初の配信は電子的に実行されることが好ましい。同様に、“PSL”、イベントチケット、及び臨時のイベントチケット証明書の電子取引を容易にすると共に、そのような製品の正確な所有権の記録を保持するために、更に“PSL”と関係があるチケットのみが交換システム上で取引されることが好ましい。
【００１７】
各“PSL”、チケット、及び臨時のイベントチケット証明書が開催地の中の特定のシートに対応するので、“PSL”、チケット、及び臨時のイベントチケット証明書を類似の鑑賞特性を有するゾーン、またはセクションに集めることが可能である。例えば、簡潔に図２を参照すると、野球場の図形は符号１０で示される。野球場の周辺の座席の配置エリア（seating areas）は、異なって陰が付けられたゾーンのパッチワーク（patchwork）に分割される。第１のゾーン１２は、ホームプレートの後ろ、及びホームプレートの周辺のボックス席エリアで示される。ゾーン１２の後ろのテラスボックス席は、第２のゾーン１４を形成し、一方第３のゾーン１６は、ホームプレートの後ろの２階席を有する。追加のゾーン１８、ゾーン２０、及びゾーン２２は、ボックスエリア、テラスボックスエリア、及び２階エリアにおいて、各々一塁線、及び三塁線に沿って設けられると共に、最後のゾーン２４は、外野席セクション、及び来訪チームのダッグアウトの後ろに設けられる。本発明の好ましい実施例によれば、同じゾーンの中のシートは、代替可能であるとみなされる。チケットを購入するためにこの独創的な方法、または電子交換システムを使用する人は、彼または彼女がチケットの購入を望むゾーンを指定しなければならない。指定されたゾーンの中のあらゆるシートに対するチケットは、指定されたゾーンの中のチケットに対する購買要求を満足させることになる。
【００１８】
図１に戻ると、一度“PSL”、チケット、及び臨時のイベントチケット証明書の在庫品目録が配信された場合、ステップＳ２は、“PSL”、イベントチケット、及び臨時のイベントチケット証明書を販売するための申し出、及び“PSL”、イベントチケット、及び臨時のイベントチケット証明書を購入するための入札を受信することを伴う。本発明の実施例において、処理はリアルタイムで処理される。在庫品（“PSL”、チケット、及び臨時のイベントチケット証明書）の実際の保有者のみが、売り出し中の申し出を掲載することができ、一方交換システムのあらゆる会員は、購入するための入札を掲載することができる。しかしながら、彼または彼女が指定された時間に、及び指定された方法で、販売された製品の良い引き渡しを行う限り、在庫品を保持しない当事者が、“PSL”、チケット、または臨時のイベントチケット証明書を売りに出すことを許される可能性がある他の取引規則が考えられる。
【００１９】
ステップＳ３は、受信された、在庫品を販売するための申し出と在庫品を購入するための入札とをリストアップすることを指示する。混乱を制限すると共に、市場の効率を増すために、必ずしも全ての申し出及び入札が表示される必要があるとは限らない。例えば、“PSL”、チケット、または臨時のイベントチケット証明書に対する現在の市場相場は、特定のゾーンに対する最高入札、及び最高の申し出の中から、迅速に推測され得る。所定のゾーンにおける“PSL”、チケット、または臨時のチケットに対する最も最近の処理は、現行の市場価格に関して更なる案内もまた与え得る。
【００２０】
ステップＳ４は、同様に、彼または彼女がリストアップされた販売するための申し出の中の１つを承諾することを表す買い手、または彼または彼女がリストアップされた購入するための入札の中の１つを承諾することを表す売り手のいずれかから、指示を受信することを伴う。承諾された入札または申し出を公表した当事者は、ステップＳ５において入札または申し出の承諾を示した当事者と組み合わせられる。ステップＳ６において、買い手から支払金が受領されると共に、売り手に対して支払金が支払われる。最終的に、“PSL”、個別のイベントチケット（あるいは、複数の個別のイベントチケット）、または臨時のイベントチケット証明書（あるいは、複数のイベントチケット証明書）である処理の対象の在庫品は、売り手から買い手に譲渡される。
【００２１】
今説明された“PSL”、個別のイベントチケット、及び臨時のイベントチケットの取引の方法に加えて、本発明は、更に今説明された方法による“PSL”、イベントチケット、臨時のイベントチケット証明書の取引のための交換システムを達成する。そのような交換システムは、図３において概略的に示される。交換システム３０の主な機能は、在庫品を販売するための申し出と在庫品を購入するための入札とをリストアップし、入札及び申し出を設定する当事者を、入札及び申し出を承諾する当事者と組み合わせると共に、買い手と売り手との間で、在庫品及びそれに対する支払金を交換することである。従って、複数の売り手３２ａ，３２ｂ，３２ｃは、比喩的に言うと、彼らの在庫品４８を交換システムへ“提示する”。図３において、３人の売り手、及び３人の買い手が描写されるが、しかしながら、実はあらゆる数の買い手、及び売り手が交換システム３０にアクセスすることができる。売り手の在庫品４８は、“PSL”５０、個別のチケット５２、及び臨時のイベントチケット証明書５４のそれぞれを１つ以上備える可能性がある。売り手３２ａ，３２ｂ，３２ｃは、矢印３６ａ，３６ｂ，３６ｃによって示されたように、交換システム３０上に彼らの在庫品を販売するための申し出をリストアップすることができる。一般的に、そのようなリストは、在庫品目、及び売り出し価格の説明を有する。例えば、売り手３２ａは、８月１０日のチームＡとチームＢと間のダブルヘッダーに関する売り物のゾーン１８（図２参照）の４枚の個別のイベントチケットを、各々“40.00”ドルでリストアップすることができる。
【００２２】
買い手３４ａ，３４ｂ，３４ｃは、在庫品なしで、しかし購入するための現金を持って交換システムに申し入れを行う。買い手３４ａ，３４ｂ，３４ｃは、矢印４２ａ，４２ｂ，４２ｃによって示されたように、在庫品を購入するための入札を交換システム上で公表することができる。一般的に、そのような公表は、その買い手が購入することを希望する在庫品、及びその買い手が支払うことを申し出ている金額の説明を有する。例えば、買い手３４ａは、上述の、同じ８月１０日のチームＡとチームＢと間のダブルヘッダーに関するゾーン１８（図２参照）の４枚のチケットを、チケット１枚につき“20.00”ドル支払うことを申し出る入札を公表することができる。チケットを“40.00”ドルで販売するための売り手３２ａの申し出、及び“20.00”ドルでチケットを購入するための買い手３４ａの入札は、交換システム上でリストアップされると共に、交換システムに対する全ての参加者である買い手と売り手との両方が認識できる。従って、８月１０日のチームＡとチームＢと間のダブルヘッダーに関するゾーン１８の４枚のチケットのセットに対して、市場価格は、チケット当たり“20.00”ドルと“40.00”ドルとの間のどこかに設定される。
【００２３】
現行の市場価格以上の特定の価格で彼らの売り物の在庫品をリストアップすることに加えて、売り手は、もう一つの方法として、買い手の入札価格でチケットを購入する買い手の入札を承諾することを選択することができる。そのような処理は、矢印３８ａ，３８ｂ，３８ｃによって示される。従って、例えばもし、売り手３２ａが買い手３４ａの“20.00”ドルの入札を見ると共に、チケットに関して彼または彼女が承諾する気がある価格にそれが十分に近いと結論を出す場合、売り手３２ａは申し出を承諾することができる。もちろん、売り手３２ａによって提供されるものと同等の在庫品（すなわち、８月１０日のチームＡとチームＢと間のダブルヘッダーに関するゾーン１８の４枚のチケット）を同様に持っている可能性がある売り手３２ｂ、または売り手３２ｃは、最初の売り手３２ａの元の売り出し価格“40.00”ドルを、彼らの在庫品を更に低い価格で販売することを申し出るか、または買い手の更に低い入札価格を承諾するかのいずれかによって、値下げすることができる。
【００２４】
同様のプロセスが、交換システムの買い手側で実行される。買い手は、売り手によって現在提供される価格より下の価格でチケットを購入するための入札を掲載することができるし、または買い手は、リストアップされた売り手の申し出を承諾することもできる。そのような処理は、矢印４４ａ，４４ｂ，４４ｃによって示される。もし、買い手３４ａが売り手３２ａのチケット当たり“40.00”ドルの申し出を見ると共に、彼または彼女がそのイベントに参加するためにその金額を支払う気があると結論を出す場合、買い手３４ａは売り手３２ａの申し出を承諾することができる。もちろん、同様に買い手３４ｂ、または買い手３４ｃも、８月１０日のダブルヘッダーに行くことを希望すると共に、売り手３２ａのチケット当たり“40.00”ドルの申し出を承諾するか、買い手３４ａにより提示された、チケット当たり“20.00”ドルの価格より高い価格での４枚のゾーン１８のチケットに対する入札を公表するかのいずれかによって、買い手３４ａの機先を制することができる。
【００２５】
一度申し出、または入札が承諾されれば、交換システムは買い手を売り手と組み合わせる。なるべくなら、この機能は交換システムを使用する当事者からは見えない方が良い。買い手、及び売り手は、どんなときも直接相互に取引を行わず、交換システムとだけ取引を行う。交換システムは、矢印６０ａ，６０ｂ，６０ｃによって示されたように、少なくとも処理において合意された金額における買い手からの支払金を受領する（交換システムをサポートするのに、同様に追加の処理サービス料金も必要とされる可能性がある）。同様に、交換システムは、矢印４０ａ，４０ｂ，４０ｃによって示された処理において合意された価格までの金額において、売り手への支払を行う。（この場合も同様に、処理サービス料金が必要とされる可能性があり、売り手の支払金は、それ相当に減少される。）処理を完了するために、販売された在庫品は、矢印５８ａ，５８ｂ，５８ｃによって示されたように、売り手３２ａ，３２ｂ，または３２ｃから交換システム３０まで引き渡さなければならないと共に、矢印４６ａ，４６ｂ，４６ｃによって示されたように、交換システムから買い手３４ａ，３４ｂ，または３４ｃまで引き渡さなければならない。
【００２６】
以下で更に十分に説明されることになるように、本発明による交換システムの実施例は、完全に電子的である。所有権の記録を伴う“PSL”、イベントチケット、及び臨時のイベントチケット証明書と、交換システムの参加者の記録と、支払いの実行と支払いの受け取りに対する条件は、全てデータベースに記憶される。この実施例において、在庫品を交換システムに物理的に引き渡すこと、及び在庫品を交換システムから買い手に物理的に引き渡すことは必要とされない。また支払いの実行と支払いの受け取りに対するステップはない。その代りに、在庫品の記録における所有権の記録は、新しい所有者を反映するために変更されると共に、クレジットカード口座は、支払金に対する課金が行われると共に、販売に対する入金が行われる。
【００２７】
図４は、本発明の実施例による“PSL”、個別のイベントチケット、及び臨時のイベントチケット証明書の取引のためのネットワークを基盤とした（network-based）交換システムのブロック図を示す。多数の利用者端末６４ａ，６４ｂ，６４ｃ・・・６４ｎを備える交換システム６２は、ワールドワイドウェブ（World Wide Web）のような公衆通信網６６によって、チケット交換システムウェブサーバ６８に接続される。公衆通信網６６と接続されることに加えて、ウェブサーバ６８は、申し出及び入札を、申し出及び入札の承諾の指示と組み合わせるための交換システムソフトウェア７０と機能的に接続されると共に、“PSL”、チケット、及び臨時のイベントチケット証明書の記録、だれがそれらを所有しているかの記録、そしてどのようにそれらが交換されるかの記録を保持するデータベース７２と機能的に接続される。
【００２８】
本発明の実施例によれば、“PSL”と関連付けられたチケットのみが、ネットワークを基盤とした交換システム６２上で取引され得る。この実施例において、“PSL”と関連付けられたチケットは、完全に交換システムの仮想の環境の創造物である。個人が、（なるべく“PSL”が交換システムに登録された後の交換システムを通して）“PSL”を購入するとき、記録がデータベース７２に作成される。もし“PSL”が交換システムを通して購入されない場合、“PSL”の記録は、作成されると共に、交換システムのデータベースに記憶されなければならない。使用権取得者が、“PSL”に基づく彼または彼女の権利により、彼または彼女のシーズンチケットを毎シーズン購入するとき、データベースは、この追加の在庫品を反映するために更新される。予定される各イベントに対する個別の各チケットは、データベースにおいて表されると共に、現在の所有者（初めは“PSL”使用権取得者）の記録も、同様に記憶される。
【００２９】
“PSL”を所有していないが、しかし交換システム上でチケットを購入することに興味がある
個人は、まず最初に交換システムに登録しなければならない。データベースの記録は、交換システムの登録された各会員に対して作成される。登録された顧客、及び在庫品の保有者は購入と販売を行うので、彼らの記録は、彼らの新たに獲得された在庫品、または使い果たされた在庫品を反映するために更新される。更に、各処理の記録は、在庫品の持ち主が変わるたびに記録される。従って、各“PSL”、イベントチケット、または臨時のイベントチケット証明書は、各所有者、及び各処理が後で識別され得るように、それと関連付けられた完全な監査の履歴を有することになる。“PSL”の所有者のように、交換システム上で在庫品を購入した顧客は、彼らの保有物を同様に交換することもできる。このように、“チケット”は、それが最終的にプリントされると共に、実際にイベントにアクセスするために使用される前に、（実質的に）数回持ち主を変える可能性がある。
【００３０】
臨時のイベントチケット証明書は、同様の方法で扱われる可能性があるか、またはそれらは完全に“PSL”とは独立して配信され得る。第１の代案において、臨時のイベントチケット証明書は、“PSL”使用権取得者によって毎シーズン購入されたシーズンチケットパッケージと共に作成される。従って、“PSL”の所有者は、毎シーズンの始まりにおいて、認可されたシートと関連付けられた全ての臨時のイベントチケット証明書の記録の所有者である。例えば、野球チームのホームゲームのためにシーズンチケットを購入するライセンスを有する“PSL”使用権取得者は、３枚は、（５つのシリーズの最善のものを前提とする）地区のプレイオフシリーズのゲームに関するものであり、４枚は、リーグの決勝戦シリーズ及びワールドシリーズに対する７個の形態の最善のものを前提とするリーグの決勝戦シリーズのゲームに関するものであると共に、４枚は、ワールドシリーズのゲームに関するものである１１枚の臨時のイベントチケット証明書も同様に獲得する。もしそのチームが各シリーズにおいてホームグランド（ホームフィールド）の利点を享受すると共に、各シリーズがゲームの最大数に延長される場合、これらは、ポストシーズンのホームゲームの可能な最大数である。もちろん、チームのホーム開催地で予定される臨時のイベントの現実の数は、チームの実績に応じて実際には１１より非常に少ない可能性がある。
【００３１】
臨時のイベントチケット証明書の最初の配信に関してこれに代る別のものは、臨時のイベントチケット証明書を購入するための第一先買権の権利を“PSL”使用権取得者に提供することである。もし、“PSL”使用権取得者が、対応する臨時のイベントチケット証明書を購入するための彼または彼女の権利を行使しない場合、それらは交換システム６２上で行なわれるオンラインオークションにおける落札者に販売されても良い。
【００３２】
最終的に、臨時のイベントチケット証明書は、交換システム６２の全ての登録された会員に直接提示されても良い。この代案によれば、臨時のイベントチケットは、開かれたオークションにおいて提供される。セット期間に対して入札が予定される可能性があると共に、入札の終わりに最も高い入札を提示する会員は、彼または彼女が勝利した入札価格とひきかえに入札している臨時のイベントチケット証明書を与えられる。
【００３３】
臨時のイベントチケット証明書に対する決済の仕組みに関して、注釈がここで記載されるべきである。言うまでもなく、もし臨時のイベントチケット証明書が“PSL”使用権取得者のシーズンチケットパッケージに備えられる場合、“PSL”使用権取得者は、彼または彼女が、彼または彼女のシーズンチケットに対する支払いを行うとき、臨時のイベントチケット証明書に対して課金される可能性がある。もし、臨時のイベントチケット証明書を購入するための第一先買権の権利を“PSL”使用権取得者が提供される場合も同じである。しかしながら、開かれたオークションモデルにおいて、交換システムの会員は交換システムに参加するための有効なクレジットカード番号を提示することを要求される可能性があるので、落札者のクレジットカード口座は、自動的に入札の終わりにおいて直ちに入札金額を課金される可能性がある。その場合、会員の獲得した在庫品の記録は、新たに購入する臨時のイベントチケット証明書を反映するために更新される可能性がある。
【００３４】
チームがポストシーズンプレイに選ばれるのに相応しいチームになる場合のように、臨時のイベントチケット証明書が現実のイベントチケットに成長する（mature into）場合、同様の自動クレジットカード決済が実行されるように設定され得る。一般的に、いつポストシーズンのイベントチケット（プレーオフ、または決勝戦シリーズゲーム等）が発売になるかに関しては発表が行われることになる。この日付、または他の任意の日付は、その後に続いて予定される臨時のイベントに対する臨時のイベントチケット証明書が新たに予定されるイベントに対する現実のイベントチケットに成長する（mature into）日付として設定され得る。指定期日の臨時のイベントチケット証明書の所有者であるだれでもが、新たに予定されるイベントチケットの額面価格を課金される。同様に、臨時のイベントチケット証明書の所有者の在庫品の記録は、彼または彼女がその場合に臨時のイベントチケット証明書よりむしろ現実のイベントチケットを所有していることを反映するために更新されることになる。
【００３５】
次に、図５から図２１を参照して、本発明によるネットワークを基盤とした電子交換システムと相互に作用するためのグラフィカルユーザインタフェースが説明されることになる。グラフィカルユーザインタフェースは、一連のウェブページとして交換システムウェブサーバ６８（図４参照）からダウンロード可能であるアプリケーションに基づくワールドワイドウェブである。グラフィカルユーザインタフェースを形成するウェブページは、顧客端末６４ａ・・・６４ｎの中の１つ以上の顧客端末上の従来のウェブブラウザによって表示されても良い。
【００３６】
ネットワークを基盤とした電子交換システムにアクセスする可能性がある多くの異なる種類の利用者がいる。例えば、販売することを希望する余分な在庫品（例えば、その使用権取得者が出席することができないであろうイベントのイベントチケット)を所有する“PSL”使用権取得者、意欲的なブローカー、チケット価格に投機することを希望し、特定のイベントに実際に出席するという何らかの意図を持たず、在庫品を購入及び販売する気がある他のもの、及び特定のイベントに出席するためのチケットに関して最高の可能な価格を得ることを望むが、しかしチケット流通市場においてイベントチケットを購入することができない単純なファンである。
【００３７】
余分な在庫品、すなわち１つ以上の“PSL”と関連付けられたイベントに対するチケットを販売するために“PSL”使用権取得者が電子交換システムにアクセスする第１のシナリオが説明されることになる。取引業者であるイベントチケットを利益のために購入及び販売することを望む誰かが、上述の“PSL”使用権取得者からイベントチケットを購入する次のシナリオが説明されることになる。最後に、ブローカーによって提供されたチケットのファンによる購入が説明されることになる。処理を完了するとすぐに、ファンは、彼または彼女自身の使用のために一組のチケットクーポンをプリントアウトすると共に、もう一組のチケットを友人に送ることになる。以下の処理において説明される当事者は、それらの役割に留められないことに留意するべきである。ファンは、内在するイベントに出席するためのいくらかのチケットを購入する可能性があるか、または彼らは彼らの保有物のいくらかを交換するつもりである可能性がある。ブローカーは、チケットを買って販売することに加えて、いくらかのイベントにも出席する可能性があると共に、“PSL”の所有者は、彼らの“PSL”と関連付けられていない追加のチケットを買って販売する可能性があり、かつイベントにも実際に出席する可能性がある。
【００３８】
顧客が最初に交換システムにアクセスするとき、図５において示されたログインページ１００が、顧客のコンピュータに送信されると共に、顧客のウェブブラウザによって表示される。ログインページは、顧客が彼または彼女の利用者名、及びパスワードを入力することによって交換システムにログオンすることを可能にするために、利用者名１０２、及びパスワード１０４のデータ入力フィールドを備える。ログインページ１００は、図示されたように、やがて行われるアリゾナとアトランタとの間の野球の試合のような、やがて行われる特色付けられた１つ以上のイベントに関する情報を備えても良い。特色付けられたイベントに対するチケットを購入するためのクリックオンオプション（click-on option）１１８も同様に提供される。特色付けられたイベント１１４に加えて、利用者は異なるカテゴリにおけるイベントに関する情報も同様に見ることができる。例えば、顧客は、ドロップダウン選択メニュー１０６から異なるスポーツ競技を見ることができる。もう一つの方法として、顧客は、チームメニュー１０８の選択から、特定のチームと関連付けられた様々なイベントを閲覧することができる。検索エンジンの検索語入力フィールド１１０も、ログインページ１００に同様に備えられる。検索語データ入力フィールド１１０に、チーム名、開催地、またはイベント名のようなキーワードをタイプする（打ち込む）ことによって、検索エンジンは、利用者が多くの異なるイベントに関して関連情報を捜し出してアクセスすることを可能にする。ブラウズスポーツ機能（browse sports function）１１２も同様に提供される。ブラウズスポーツ機能１１２は、顧客が、彼または彼女が関心を持つイベントを捜し出すのを支援する、スポーツメニュー１０６の選択と類似している。もし交換システムにアクセスする顧客が交換システムの登録された会員ではない場合、顧客によって顧客データが供給されると共に交換システムによって記憶されることができるレジストレーションページ（registration page）に利用者を案内するために、リンク１１６が提供される。
【００３９】
登録された顧客が正規利用者名及びパスワードを入力することによって交換システムにログオンするとき、交換システムは、利用者名に基づいて顧客を識別すると共に、交換システムに関係する顧客の保有物を反映する一連のカスタマイズされたページを、顧客のコンピュータに提示する。例えば、第１のシナリオによれば、“PSL”使用権取得者である“Joe Holder”は、交換システムにログオンする。“Joe Holder”の“PSL”保有物（PSL holdings）を表示する第１のカスタマイズされた利用者ページ１２０は、図６において示される。“スポーツ”ドロップダウンメニュー１０６、“チーム”ドロップダウンメニュー１０８、及び検索エンジンの検索語データ入力フィールド１１０のような、最初のログインページ１００の多くの特徴は、カスタマイズされた顧客ページにも同様に表示されると共に、実質的に利用者の全ての体験の間中、アクセス可能である。一連の選択可能なタブ（tabs）は、顧客が、彼または彼女の在庫品の様々な状況を見ることを可能にする。イベントチケット所有者タブ（Event ticket holders tab）１２２は、顧客が、彼または彼女のイベントチケット保有物（event ticket holdings）を見ることを可能にする。シートライセンス保有タブ（Seat license holding tab）１２４は、利用者が、彼または彼女の“PSL”保有物を見ることを可能にすると共に、“PTC”タブ（PTC tab）１２６は、顧客が、彼または彼女の臨時のイベントチケット証明書保有物（contingent event ticket certificate holdings）を見ることを可能にする。そして、提示注文タブ（submitted orders tab）１２８、及び完了注文タブ（completed orders tab）１３０は、顧客が、それぞれ、彼または彼女が提示した注文、及び完了された注文を見ることを可能にする。
【００４０】
図６は、選択されたシートライセンス保有物タブ（seat license holdings tab）１２４が表示された、“Joe Holder”に関してカスタマイズされた顧客ページ１２０を示す。この例において、“Joe Holder”によって所有される４つの“PSL”に対応する、４個の記録１３２ａ，１３２ｂ，１３２ｃ，１３２ｄが示される。各記録は、対応する“PSL”と関連付けられた、開催地１４０、セクション１４２、列１４４、及びシート番号１４６の説明を有している。対象の“PSL”と同じゾーンで販売された最も最近の“PSL”に支払われた最後の処理金額１４９と同様に、“PSL”に関する値段基準１４８（“PSL”の現在の所有者が“PSL”に支払った値段）もまた表示される。各“PSL”の記録は、処理に組み入れるために、対応する“PSL”記録を選択するためのチェックボックス１５２を更に備える。“PSL”及び“PSL”と関連付けられた個別のチケットは、同じ方法で取引されることができる。しかしながら、個別チケットが“PSL”より更に多く取引されることになるので、イベントチケット取引の十分な説明が以下で行われることになるが、しかし、“PSL”取引の説明は省略されることになる。
【００４１】
図７は、選択されたイベントチケット保有物タブ（event ticket holdings tab）１２２が表示された、“PSL”使用権取得者である“Joe Holder”に関する利用者顧客ページ１２１を示す。このタブは、イベントチケットの記録１３４ａ，１３４ｂ，１３４ｃ，１３４ｄ，１３４ｅ，１３４ｆのリスト１３２を示す。各イベントチケットの記録は、イベントの説明１３６、イベント発生日及び時間１３８、開催地１４０、セクション１４２、列１４４、シート番号１４６、チケットの値段基準１４８（現在の所有者によってチケットに対して支払われた価格）、及びチケットに関連付けられたシートと同じゾーンに位置するシートのチケットに対する現在の最高入札１５０を有している。顧客の追加の保有物を示すために、追加のページが提供されても良い。取引または他の目的のための個々のチケットを顧客が選択することを可能にするために、チェックボックス１５２は各記録に隣接して提供される。同様にイベントチケット保有物ページ（event ticket holdings page）１２１は、選択イベントチケット取引（Trade Selected Event Tickets）１５４、選択チケット転送（Transfer Selected Tickets）１５６、選択チケットプリント（Print Selected Ticket）１５８、及びチケット保険購入（Purchase Ticket Insurance）１６０のような顧客クリックオンオプション（click-on customer options）を提供する。
【００４２】
もし、チケットの保有者である“Joe Holder”が、彼のチケット保有物のうちのいくらかを販売することを望む場合、彼は、マウスによってチケットの説明に隣接したチェックボックスをクリックすることにより、対応するチケットの記録１３４を選択する。チェックマークは、図示されたように、選択されたボックスに現れる。この例において、“PSL”使用権取得者である“Joe Holder”は、ブレーブス（Braves）戦に関する４枚のチケットを選択した。バンクワン野球場（Bank One Ballpark）の２００２年８月１５日山岳部標準時間（MST）４時０５分のダイアモンドバックス戦である。それらのチケットは、セクション１２４のＨ列、シート番号２７，２９，３１，及び３３に対応する。チケットの所有者は、その場合、選択されたチケットを販売するために“選択イベントチケット取引”オプション（"Trade Selected Event Tickets" option）１５４を選択する。
【００４３】
図８において示されたように、“選択イベントチケット取引”オプション１５４に対するマウスによるクリックで、顧客端末上に新規注文ページ（new order page）１６２が表示される。図に示すように、新規注文ページは、売り出されるべきチケットのセクション、列、及びシート番号の指定と同様に、イベント、日付、及びイベントの場所を表示する。新規注文ページは、チケットの保有者が、彼または彼女が対象のチケットに提示している価格を入力することができる“チケット当たりの価格（Price per Ticket）”フィールド１６４も同様に備える。図示された例において、“Joe Holder”は、選択されたチケットに対する販売価格として“140.00”ドルを入力した。現在の最高入札フィールド（current best bid field）１６６は、“Joe Holder”によって提示されたチケットと同じゾーンに位置するチケットに対して設定された最高入札を表示する。これは、チケットの保有者に、彼または彼女が売り物として提示しているチケットの市場価格の感覚を与える。この場合、最高入札はチケット当たり“120.00”ドルである。従って、“Joe Holder”は、彼のチケットを、現行の市場価格の“20.00”ドル以上で提示している。チケットの所有者は、提示オプション（Submit option）１６８をマウスでクリックすることによって、チケット販売注文を提示する。
【００４４】
販売注文の提示によって、グラフィカルユーザインタフェースは、利用者のチケット保有物を示すカスタマイズされた利用者ページに戻る。その場合、チケットの所有者は、“顧客提示注文（Customer Submitted Orders）”タブ１２８を選択することによって、提示された注文を見ることができる。“提示注文（submitted orders）”タブ１２８に表示されるデータは、図９における符号１７０で示される。本例を踏まえて、図７において“Joe Holder”によって売り物として選択されたチケットの記録１３４ａ，１３４ｂ，１３４ｃ，１３４ｄと対応するチケットの記録１７２ａ，１７２ｂ，１７２ｃ，１７２ｄが表示される。チケットの記録１７２ａ，１７２ｂ，１７２ｃ，１７２ｄは、値段基準１４８及び最高入札１５０を有するよりは、むしろイベント１３６、日付１３８、開催地１４０、セクション１４２、列１４４、シート番号１４６を有するチケットの記録１３４ａ，１３４ｂ，１３４ｃ，１３４ｄと実質的に類似しており、提示された注文の記録は、チケットの保有者が、彼または彼女が申し出を提示したときに入力した価格１７３を有しており、この場合は“50.00”ドルである。
【００４５】
次に、顧客である“John Trader”が交換システムにログオンするシナリオが説明されることになる。このシナリオにおいて、“John Trader”は、彼がログオンするとき、“PSL”、チケット、または臨時のイベントチケット証明書を所有しない。“John Trader”の意図は、チケット価格が上昇すると共に、利潤を上乗せして在庫品を再販できることになるのを期待して、１つ以上のポピュラーなイベントに関する在庫品を購入することである。“John Trader”は、前のシナリオにおける“PSL”使用権取得者と同じ方法で、図５のログイン画面（login screen）１００から交換システムにログオンする。しかしながら、“John Trader”は流通しているチケットの保有物を持っていないので、彼のブラウザによって表示されると共に図１０において示されるカスタマイズされた保有物ページ（customized holdings page）１７４は、ログインページ１００にも同様に示された特色付けられたイベント１１４に加えて、追加の特色付けられたイベント１７６，１７８だけを有する。対応するチケット購入オプション（Buy Tickets options）１１８，１７７，１７９のうちの１つを選択することによって、顧客である“John Trader”は、図１１において示される画面のような、イベントチケット購入画面（Purchase Event Ticket screen）１８０にアクセスすることができる。
【００４６】
図１１のイベントチケット購入画面１８０は、顧客である“John Trader”による、アリゾナダイヤモンドバックス（Arizona Diamond Backs）対アトランタブレーブス（Atlanta Braves）の特色付けられたイベント１１４に関連付けられたチケット購入オプション１１８の選択に対応する。もちろん、“John Trader”を含めたあらゆる顧客は、ブラウジング機能（browsing function）１１２、または特定のイベントを捜し出すための他のナビゲーションツール（navigational tools）１０６，１０８，１１０を使用することによって、同じ画面（または、他のイベントに対する他のイベントチケット購入画面）に辿り着くことができる。
【００４７】
イベントチケット購入画面１８０は、イベント１３６、開催地１４０、及び日付１３８をリストアップする。同様にイベントチケット購入画面１８０は、チケットが利用可能である様々なゾーンを図解する開催地１８２の地図も備える。現在の市況テーブル（current market conditions table）１８４も同様に表示される。現在の市況テーブル１８４は、チケットが利用可能である各シートゾーン（seat zone）１９０におけるチケットに対する、最高入札１８６及び最高の申し出（best offer）１８８をリストアップする。顧客は、ゾーンドロップダウン選択メニュー（zone drop down selection menu）１９２からゾーンを選択し、チケットの数フィールド（number of tickets field）１９４において彼または彼女が望むチケットの数を入力し、価格フィールド（price field）１９６に入札価格を入力すると共に、入札提示オプション（submit bid option）１９８を選択することによって、このページからチケットに対する入札を行うことができる。他の顧客が、以下で説明されることになるチケット購入／販売ページを見るとき、顧客の入札は、続いて表示されることになる。もう一つの方法として、所望のゾーンの購入オプション（buy option）２００を選択することによって、顧客は現在の最高の売り出し価格で直接チケットを購入することを選ぶことができる。
【００４８】
現在の市況テーブル１８４において、ゾーンエントリの内の１つに隣接した購入オプション２００を選択することによって、図１２において示されたように、選択されたゾーンに関する更に詳細な現在の市場テーブル（detailed current market table）２０２が表示される。詳細な現在の市場テーブル２０２は、所定のイベントに関する選択されたゾーンのチケットに対して提示された申し出２０６及び入札２０８の全てをリストアップする。各入札及び各申し出と関連付けられたチケットの数２１０も、同様に表示される。詳細な現在の市場テーブル２０２は、それぞれのゾーンに対して提示された全ての入札及び申し出の包括的な表示であっても良く、または、それは更に小さなより管理できるエントリ数に制限されても良い。もう一つの方法として、追加のエントリを表示するためにスクロール機能が提供されても良い。
【００４９】
図１２に示された例において、５つの別個の入札及び５つの別個の申し出が表示される。このページから、顧客は、チケットの数を“チケットの数”データフィールド（"# of tickets" data field）１９４に入力すると共に、彼または彼女が支払う気がある価格を“価格”データフィールド("Price" data field)１９６に入力することにより、相場以下の入札を再度提示することができる。顧客は、“入札提示”オプション（"Submit Bid" option）１９８を選択することによって入札を提示する。もう一つの方法として、顧客は、所望の申し出に隣接した対応する購入オプション２１２を選択することによって、公表された申し出を直接承諾することにより、利用可能なチケットのうちのどれでも購入することができる。
【００５０】
図１３において示されたように、購入オプション２１２のうちの１つを選択することによって、納品書ページ２１４が顧客の端末上に表示される。納品書ページ２１４は、イベント１３６、日付１３８、及び開催地１４０、チケットが位置しているゾーン１９０、チケット当たりに支払われた価格２１６、チケットの数２１８、購入金額の小計２２０、交換システムによって加えられる可能性がある処理料金額２２２、及び総計金額２２４を表示する。
【００５１】
図１３において示された納品書は、更にチケット保険２２６を購入するためのオプションを提供する。チケット保険は、イベントが中止されたか、またはチケットの買い手にとって都合が悪い時に予定変更された場合に、チケットの買い手がそのイベントにおけるチケットに支払った購入価格に保険をかけることを可能にする仕組みである。一般的に、イベントスポンサーがイベントをキャンセルする場合、イベントスポンサーは、チケットの額面価格だけを払い戻すことになる。しかしながら、高い需要があるイベントのチケットを交換システム上で購入する顧客は、額面価格を超えた特筆すべきプレミアムを支払う可能性がある。チケット保険を購入することによって、もしそれらのチケットが、中止または予定変更等によって価値のない状態になるか、またはそれらの値打ちを失う場合、顧客は、チケットに支払われた購入価格の全部を取り戻すことができる。交換システムの顧客に提供される得る別の特徴は、イベントにおいて実行される出来事に基づくボーナス賞金プログラム（bonus award program）である。例えば、もしそのイベントが野球の試合である場合、顧客は、“ノーヒッター証明書（No Hitter Certificate）”を購入することができる。もしピッチャーが指定されたゲームにおいて全く打たれない場合、“ノーヒッター証明書（No Hitter Certificate）”を購入したチケット所有者は、その場合に賞金を獲得する。
【００５２】
最後に、納品書ページ２１４は、決済オプション（payment option）ドロップダウンメニュー２２８を備える。決済ドロップダウンメニュー（payment drop down menu）において利用可能なオプションは、顧客が交換システムに登録したときに顧客によって提供された決済データと一致することになる。一度、顧客が“Visa（登録商標）”または“Mastercard（登録商標）”等のような決済オプションを選択した場合、ドロップダウンメニュー２２８から、注文提示オプション（Submit Order option）２３０を選択することによって、彼または彼女は注文を提示することができる。この時点で、顧客のクレジットカード口座は、納品書２１４上に表示される総計金額２２４を請求され、同時に、新しい所有者を反映するために、納品書２１４にリストアップされると共にゾーン１９０の中にあって数量２１８に等しい多数のチケットの所有権の記録が更新される。
【００５３】
“John Trader”が後の再販のために交換システム上でチケットを購入している例に戻ると、我々は、“John Trader”が、上述の処理において説明されたアリゾナダイアモンドバックスとアトランタブレーブスとの間の２００２年８月１５日における野球の試合に関する１塁線に沿った、または３塁線に沿った４枚のチケットを購入したと推測することになる。“John Trader”は、今在庫品を持っている。上述の注文を提示することによって、交換システムのグラフィカルユーザインタフェースは、図１４において示された“John Trader”のカスタマイズされた保有物ページ２３２を表示する。４枚の新たに購入されたチケットは、イベントチケット所有タブ（event ticket holding tab）１２２の下に表示される。“John Trader”の新たに獲得されたチケット保有物は、これより前の例において“Joe Holder”によって販売されたものと同じチケットであることに留意するべきである。従って、“John Holder”の販売注文はこれで完了する。図示されないが、“Joe Holder”の顧客ページは、自分の保有物タブ（my holdings tab）１２２の下にこれらの４枚のチケットをもはや表示しないと共に、処理の記録が完了した処理タブ（completed transactions tab）１３０の下に表示される。
【００５４】
今は“John Trader”が在庫を持っているので、彼は、考えを変えると共に、購入したイベントチケットを販売することができる。“John Trader”は、現行の市場価格以上でチケットを販売することを申し出ることができるし、または、彼は交換システム上の別の顧客からの入札を承諾することができる。“John Trader”にとって、販売するための申し出を上述の市場に提示するために必要なステップは、“Joe Holder”による彼の在庫品を販売するための申し出に関する上述のステップと同じであると共に、ここで繰り返されることはない。代りに、別の潜在的な買い手によって公表された現在の入札を承諾するために“John Trader”にとって必要なステップが説明されることになる。“Joe Holder”もこの代わりの方法に従って同様に彼のチケットを販売することができることに留意するべきである。“Jane Fan”がバンクワン野球場における２００２年８月１５日のアリゾナダイアモンドバックス対アトランタブレーブスの野球の試合の４枚のチケットに対する入札を行うと共に、彼女がチケット当たり“200”ドルの値を付けたと仮定する。“John Trader”は、彼がチケットを所有するイベントまたは複数のイベントを、ナビゲーションツール（navigational tools）１０６，１０８，１１０，１１２を使用して捜し出すことによって、彼の在庫品に関する市場価格を監視することができる。この例において、“John Trader”は、図１５において示される詳細なイベントチケット購入／販売画面（detailed purchase/sell event tickets screen）２３４を表示するために、ダイアモンドバックス対ブレーブスの試合を再度捜し出しても良い。詳細なイベントチケット購入／販売画面２３４は、所望のゾーンの現在の市場テーブル（current market table）２３５が現在の入札に隣接した選択可能な販売オプション（sell options）２３５を備えるということを除けば、図１２の詳細なチケット購入画面（detailed purchase tickets screen）２０１と実質的に同じである。“John Trader”が今は販売するための適切な在庫品を持っているので、これらが出現する。
【００５５】
４枚のチケットに対する“200.00”ドルでの“Jane Fan”の入札は、現在の最高入札である。“John Trader”は、“Jane Fan”の入札に隣接した販売オプション２３６を選択することによって、この入札を承諾することができる。もちろん、“John Holder”は、入札した当事者の正体は分からない。販売オプション２３６を選択することによって、図１６において示されたように、売上納品書画面（sales invoice screen）２３８が“John Trader”のブラウザに表示される。この場合も、納品書は、イベント１３６、日付１３８、開催地１４０、座席の配置ゾーン（seating zone）１９０、チケット当たりの価格２１６、チケットの数２１８、小計金額２２０、処理料金２２２、及び総計金額２２４を有している。この場合、処理料金は小計（金額）から減算されると共に、総計金額２２４は、“John Trader”のクレジットカード口座に、彼の注文提示オプション２４０の選択によって入金される。
【００５６】
買い手側では、承諾された“Jane Fan”の入札に関して、購入処理は自動的に続く。交換システムは、（彼女が交換システムに登録したときに決定された）彼女の希望する通信方法によって、メッセージを“Jane Fan”に送信する。例えば、図１７において示されたように、交換システムは、電子メールメッセージ（e-mail message）２４２を送ることができる。メッセージは、イベント１３６、日付１３８、開催地１４０、チケットの価格２１６、数量２１８、小計金額２２２、売上税２２３、及び総計金額２２４を表示する。総計金額は、“Jane Fan”のクレジットカードに自動的に課金されると共に、新しい所有者を反映するために４枚のチケットの所有権の記録は更新される。
【００５７】
“Jane Fan”は、メッセージ２４２を受信するのと同時に、彼女のカスタマイズされた利用者ページ２４４にアクセスすることで、彼女のチケット保有物を見るために交換システムにログオンすることができる。彼女の新しいチケット保有物は、図１８において示されるイベントチケット保有物タブ１２２の下に表示される。図に示すように、“Jane Fan”のチケット保有物は、今はバンクワン野球場における２００２年４月２３日のブレーブス対ダイアモンドバックスの試合に対する４枚のチケットを備える。“Ms. Fan”がチケット当たり“200.00”ドルを支払ったので、値段基準は“200.00”ドルであると表示される。図には示されていないが、“John Trader”のチケット保有物は、彼が自分の全ての在庫品を販売したので、この時点では空である。“Jane Fan”は、彼女のカスタマイズされたチケット保有高ページ２４４から彼女の保有物を見るとき、所望のチケットに隣接するチェックボックス１５２を選択すると共に、保険購入オプション（purchase insurance option）２４６を選択することによって、彼女のチケットの１つ以上に対して保険を購入することを決定することができる。追加の画面（図示せず）がチケット保険の購入処理のために提供される。
【００５８】
もちろん、在庫品を持つ“Jane Fan”は、彼女のチケットを売りに出すことを申し出るか、チケットに対する入札を承諾するか、またはチケットを実際に使用することができる。彼女は、同様に彼女のチケットのいくらか、または全てを友人へ電子的に渡すこともできる。チケットを渡すために、図１８において示されたように、彼女は、適切なチケットに隣接するチェックボックス１５２を選択すると共に、次にチケット転送オプション（transfer tickets option）２４８を選択する。これにより、“Jane Fan”のウェブブラウザに、図１９において示されたチケット転送ページ２４６が表示される。チケット転送ページは、イベント１３８、日付１４０、開催地１４２、及びセクション１４４、列１４６、シート番号１４８を含む選択されたチケットの説明を有する。チケット転送ページは、メッセージを入力するためのテキストフィールド２５０と同様に、譲り受け人の電子メールアドレスを入力するためのデータフィールド２４８も同様に備える。提示オプション２５２を選択することによって、図２０において示されたような電子メールメッセージ２５４が、電子メールアドレスフィールド２４８に入力されたアドレスに送信される。もし譲り受け人が交換システムに登録されている場合、彼または彼女は、渡されたチケットを見るために交換システムにログインすることができると共に、もし彼または彼女がそれらを使用するつもりである場合、チケットクーポンをプリントすることができる。もし譲り受け人が交換システムに登録されていない場合、彼または彼女が、渡されたチケットを見ると共にプリントすることを許可されるには、その前に交換システムに登録しなければならない。
【００５９】
図示された例において、“Jane Fan”は、２００２年８月１５日のブレーブス対ダイアモンドバックスの試合に関する彼女のチケットのうちの２枚を、彼女の友人である“Jack Friend”へ渡した。渡されたチケットは、バンクワン野球場におけるセクション１２４のＨ列のシート３１とシート３４に対応する。図２１において示されたように、これらのチケットは、今は“Jack Friend”のカスタマイズされたチケット保有物ページ２５６のイベントチケット保有物タブ１２２の下に表示される。チケットを使用するために、“Jack Friend”は、チケットに隣接したチェックボックス１５２を選択すると共に、選択プリントオプション（print selected option）２５８を選択する。その場合には、“Jack Friend”のコンピュータによって、図２１において示されるチケットクーポン２６０がプリントされる。注目すべきは、チケットクーポン２６０は、“Jack Friend”がチケット所有者であると特定すると共に、そのチケットが本物であることを保証するコード化されたデータを含有することができるバーコード２６２を具備しているということである。チケットクーポンは、あらゆる従来のチケットと同じ方法で、イベント１３８、日付１４０、セクション番号１４４、列１４６、及びシート番号１４８を特定する。もちろん、他のイベントチケット保有者ができるように、“Jane Fan”は彼女のチケット保有物を同じ方法でプリントすることができる。
【００６０】
最後に、臨時のイベントチケット証明書がイベントチケットと同じ方法により、交換システム上で取引され得ることに留意すべきである。まさしく説明したグラフィックユーザインタフェースを用いて取引され得る。交換システムの会員の臨時のイベントチケット証明書は、プレーオフチケット証明書と言われると共に、顧客のカスタマイズされた保有物ページの“PTC”保有物タブ（PTC holdings tab）１２６から見られることができる。一度、臨時のイベントチケット証明書が現実のイベントチケットに成長すれば（mature into）、それらの記録は、顧客の“PTC”保有物タブ１２６から除去されると共に、イベントチケット保有物タブ１２４上に表示される。
【００６１】
このように、本発明は、永久のシートライセンス、イベントチケット、及び臨時のイベントチケット証明書の取引のための電子交換システムと、永久のシートライセンス、イベントチケット、及び臨時のイベントチケット証明書の取引の方法とを提供する。ここで説明された好ましい本実施例に対する様々な変更及び修正が、当業者にとっては明白であるということが理解されるべきである。そのような変更及び修正は、本発明の精神及び範囲から逸脱することなく、かつその意図した利点を減少することなく実行され得る。従って、そのような変更及び修正が、添付のクレームによって保護されることが望まれる。
【図面の簡単な説明】
【００６２】
【図１】本発明による“PSL”、イベントチケット、及び臨時のイベントチケット証明書の取引方法のフローチャートである。
【図２】様々な座席の配置ゾーンを示す開催地の平面図である。
【図３】本発明の実施例による“PSL”、イベントチケット、及び臨時のイベントチケット証明書の取引のための交換システムの概要のブロック図である。
【図４】本発明の実施例によるネットワークを基盤とした交換システムのブロック図である。
【図５】ログインページを示す本発明の実施例による交換システムに関するグラフィカルユーザインタフェースの画面の図である。
【図６】“PSL”の所有者のシートライセンス保有物を表示するカスタマイズされた顧客用のページを示す本発明の実施例による交換システムに関するグラフィカルユーザインタフェースの画面の図である。
【図７】“PSL”の所有者のイベントチケット保有物を表示するカスタマイズされた顧客用のページを示す本発明の実施例による交換システムに関するグラフィカルユーザインタフェースの画面の図である。
【図８】新規注文ページを示す本発明の実施例による交換システムに関するグラフィカルユーザインタフェースの画面の図である。
【図９】提示した注文を表示するカスタマイズされた顧客用のページを示す本発明の実施例による交換システムに関するグラフィカルユーザインタフェースの画面の図である。
【図１０】何も保有しない顧客のカスタマイズされた顧客用のページを示す本発明の実施例による交換システムに関するグラフィカルユーザインタフェースの画面の図である。
【図１１】イベントチケット購入ページを示す本発明の実施例による交換システムに関するグラフィカルユーザインタフェースの画面の図である。
【図１２】更に詳細なチケット購入ページを示す本発明の実施例による交換システムに関するグラフィカルユーザインタフェースの画面の図である。
【図１３】イベントチケット購入納品書ページを示す本発明の実施例による交換システムに関するグラフィカルユーザインタフェースの画面の図である。
【図１４】イベントチケット取引業者のイベントチケット保有物を表示するカスタマイズされた顧客用のページを示す本発明の実施例による交換システムに関するグラフィカルユーザインタフェースの画面の図である。
【図１５】イベントチケット購入／販売ページを示す本発明の実施例による交換システムに関するグラフィカルユーザインタフェースの画面の図である。
【図１６】イベントチケット販売納品書ページを示す本発明の実施例による交換システムに関するグラフィカルユーザインタフェースの画面の図である。
【図１７】入札承諾メッセージページを示す本発明の実施例による交換システムに関するグラフィカルユーザインタフェースの画面の図である。
【図１８】イベントチケットの買い手のイベントチケット保有物を表示するカスタマイズされた顧客用のページを示す本発明の実施例による交換システムに関するグラフィカルユーザインタフェースの画面の図である。
【図１９】イベントチケット転送ページを示す本発明の実施例による交換システムに関するグラフィカルユーザインタフェースの画面の図である。
【図２０】イベントチケットの譲り受け人に送られたチケット転送の電子メールメッセージを示す本発明の実施例による交換システムに関するグラフィカルユーザインタフェースの画面の図である。
【図２１】イベントチケットの譲り受け人のチケット保有物を表示するカスタマイズされた顧客用のページを示す本発明の実施例による交換システムに関するグラフィカルユーザインタフェースの画面の図である。
【図２２】プリントされる準備が整うと共に、指定されたイベントに関する開催地にアクセスするために使用される２枚のイベントチケットクーポンの画面を示す本発明の実施例による交換システムに関するグラフィカルユーザインタフェースの画面の図である。
【符号の説明】
【００６３】
１０    野球場
１２    第１のゾーン
１４    第２のゾーン
１６    第３のゾーン
１８，２０，２２    追加のゾーン
２４    最後のゾーン
３０    交換システム
３２ａ，３２ｂ，３２ｃ    売り手
４８    在庫品
５０    “PSL”
５２    個別のチケット
５４    臨時のイベントチケット証明書
３４ａ，３４ｂ，３４ｃ    買い手
６２    交換システム
６４ａ，６４ｂ，６４ｃ・・・６４ｎ    利用者端末
６６    公衆通信網
６８    チケット交換システムウェブサーバ
７０    交換システムソフトウェア
７２    データベース
１００    ログインページ
１０２    利用者名（データ入力フィールド）
１０４    パスワード（データ入力フィールド）
１０６    ドロップダウン選択メニュー（スポーツメニュー）
１０８    チームメニュー（“チーム”ドロップダウンメニュー）
１１０    検索語データ入力フィールド
１１２    ブラウズスポーツ機能（browse sports function）
１１４    特色付けられたイベント
１１６    リンク
１１８    クリックオンオプション（click-on option）
１２０    第１のカスタマイズされた利用者ページ
１２１    利用者顧客ページ
１２２    イベントチケット所有者タブ（Event ticket holders tab）
１２４    シートライセンス保有タブ（Seat license holding tab）
１２６    “PTC”タブ（PTC tab）
１２８    提示注文タブ（submitted orders tab）
１３０    完了注文タブ（completed orders tab）
１３２ａ，１３２ｂ，１３２ｃ，１３２ｄ    “PSL”に対応する記録
１３２    イベントチケットの記録リスト
１３４    チケットの記録
１３６    イベントの説明
１３８    イベント発生日及び時間
１４０    開催地
１４２    セクション
１４４    列
１４６    シート番号
１４８    チケットの値段基準
１４９    処理金額
１５０    現在の最高入札
１５２    チェックボックス
１５４    選択イベントチケット取引（Trade Selected Event Tickets）オプション
１５６    選択チケット転送（Transfer Selected Tickets）オプション
１５８    選択チケットプリント（Print Selected Ticket）オプション
１６０    チケット保険購入（Purchase Ticket Insurance）オプション
１６２    新規注文ページ（new order page）
１６４    “チケット当たりの価格（Price per Ticket）”フィールド
１６６    現在の最高入札フィールド（current best bid field）
１６８    提示オプション（Submit option）
１７０    “提示注文（submitted orders）”タブ１２８に表示されるデータ
１７２ａ，１７２ｂ，１７２ｃ，１７２ｄ    チケットの記録
１７６，１７８    追加の特色付けられたイベント
１７７，１７９    チケット購入オプション（Buy Tickets options）
１８０    イベントチケット購入画面（Purchase Event Ticket screen）
１８２    開催地
１８４    現在の市況テーブル（current market conditions table）
１８６    最高入札
１８８    最高の申し出（best offer）
１９０    シートゾーン（seat zone）
１９２    ゾーンドロップダウン選択メニュー（zone drop down selection menu）
１９４    チケットの数フィールド（number of tickets field）
１９６    価格フィールド（price field）
１９８    入札提示オプション（submit bid option）
２００    購入オプション（buy option）
２０２    詳細な現在の市場テーブル（detailed current market table）
２０６    申し出
２０８    入札
２１０    チケットの数
２１２    購入オプション
２１４    納品書ページ
２１６    チケット当たりの購入価格
２１８    チケットの数
２２０    購入金額の小計
２２２    処理料金額
２２４    総計金額
２２６    チケット保険
２２８    決済オプション（payment option）ドロップダウンメニュー
２３０    注文提示オプション（Submit Order option）
２３２    カスタマイズされた保有物ページ
２３４    詳細なイベントチケット購入／販売画面（detailed purchase/sell event tickets screen）
２３６    販売オプション
２３８    売上納品書画面（sales invoice screen）
２４０    注文提示オプション
２４２    電子メールメッセージ（e-mail message）
２４４    カスタマイズされた利用者ページ
２４６    保険購入オプション（purchase insurance option）
２４８    チケット転送オプション（transfer tickets option）
２５０    テキストフィールド
２５２    提示オプション
２５４    電子メールメッセージ
２５６    カスタマイズされたチケット保有物ページ
２５８    選択プリントオプション（print selected option）
２６０    チケットクーポン
２６２    バーコード
【図１】
2005531067.tif 000003
【図２】
2005531067.tif 000004
【図３】
2005531067.tif 000005
【図４】
2005531067.tif 000006
【図５】
2005531067.tif 000007
【図６】
2005531067.tif 000008
【図７】
2005531067.tif 000009
【図８】
2005531067.tif 000010
【図９】
2005531067.tif 000011
【図１０】
2005531067.tif 000012
【図１１】
2005531067.tif 000013
【図１２】
2005531067.tif 000014
【図１３】
2005531067.tif 000015
【図１４】
2005531067.tif 000016
【図１５】
2005531067.tif 000017
【図１６】
2005531067.tif 000018
【図１７】
2005531067.tif 000019
【図１８】
2005531067.tif 000020
【図１９】
2005531067.tif 000021
【図２０】
2005531067.tif 000022
【図２１】
2005531067.tif 000023
【図２２】
2005531067.tif 000024
【国際調査報告】
2005531067.tif 000025
2005531067.tif 000026